(57)【特許請求の範囲】
【請求項１】
画像形成装置であって、
複数の種別の記録材を載置可能な手差しトレイと、
画像データを入力する入力手段と、
前記入力手段により入力された画像データに基づき前記手差しトレイから給送される記録材に画像を形成する画像出力ジョブを実行する画像形成手段と、
前記画像形成装置の操作者の指示に基づき前記手差しトレイに載置される記録材の種別を設定する第１の設定手段と、
前記画像形成手段により所定の画像出力ジョブが実行される場合に当該所定の画像出力ジョブにて用いるべき記録材の種別を設定する第２の設定手段と、
前記所定の画像出力ジョブが実行される前に前記第１の設定手段により設定された記録材の種別と前記第２の設定手段により設定された記録材の種別とが一致する場合に前記所定の画像出力ジョブを開始させ、所定の中断要因が発生したことに応じて前記所定の画像出力ジョブを中断させるよう制御する制御手段とを有し、
前記制御手段は、前記所定の画像出力ジョブが中断された後に前記手差しトレイに記録材が新たに載置された場合に、前記画像形成装置の操作者に対して前記所定の画像出力ジョブが実行される前に前記第１の設定手段により設定された前記記録材の種別の再設定を要求し、当該要求に応じて前記第１の設定手段により再設定された記録材の種別と前記第２の設定手段により設定された記録材の種別とが一致する場合に前記所定の画像出力ジョブを再開させるよう制御することを特徴とする画像形成装置。
【請求項２】
前記手差しトレイとは異なる載置手段を有し、
前記第２設定手段は、前記手差しトレイと前記載置手段のいずれを前記所定の画像出力ジョブにて用いるかを設定し、
前記画像形成手段は、前記第２設定手段により前記載置手段が前記所定の画像出力ジョブにて用いられると設定された場合は、前記載置手段から給送される記録材に画像を形成する画像出力ジョブを実行し、
前記制御手段は、前記第２設定手段により前記載置手段が前記所定の画像出力ジョブにて用いられると設定された場合において、前記所定の画像出力ジョブが中断された後に前記載置手段に記録材が新たに載置された場合に、前記画像形成装置の操作者に対して前記第１の設定手段を用いた前記記録材の種別の再設定を要求することなく前記所定の画像出力ジョブを再開させるよう制御することを特徴とする請求項１に記載の画像形成装置。
【請求項３】
前記制御手段は、前記所定の画像出力ジョブが開始された後に前記第１の設定手段により設定された記録材の種別と前記第２の設定手段により設定された記録材の種別とが一致しなくなったことに応じて前記所定の画像出力ジョブを中断させるよう制御することを特徴とする請求項１又は２に記載の画像形成装置。
【請求項４】
画像形成装置であって、
複数のサイズの記録材を載置可能な手差しトレイと、
画像データを入力する入力手段と、
前記入力手段により入力された画像データに基づき前記手差しトレイから給送される記録材に画像を形成する画像出力ジョブを実行する画像形成手段と、
前記画像形成装置の操作者の指示に基づき前記手差しトレイに載置される記録材のサイズを設定する第１の設定手段と、
前記画像形成手段により所定の画像出力ジョブが実行される場合に当該所定の画像出力ジョブにて用いるべき記録材のサイズを設定する第２の設定手段と、
前記所定の画像出力ジョブが実行される前に前記第１の設定手段により設定された記録材のサイズと前記第２の設定手段により設定された記録材のサイズとが一致する場合に前記所定の画像出力ジョブを開始させ、所定の中断要因が発生したことに応じて前記所定の画像出力ジョブを中断させるよう制御する制御手段とを有し、
前記制御手段は、前記所定の画像出力ジョブが中断された後に前記手差しトレイに記録材が新たに載置された場合に、前記画像形成装置の操作者に対して前記所定の画像出力ジョブが実行される前に前記第１の設定手段により設定された前記記録材のサイズの再設定を要求し、当該要求に応じて前記第１の設定手段により再設定された記録材のサイズと前記第２の設定手段により設定された記録材のサイズとが一致する場合に前記所定の画像出力ジョブを再開させるよう制御することを特徴とする画像形成装置。
【請求項５】
前記手差しトレイとは異なる載置手段を有し、
前記第２設定手段は、前記手差しトレイと前記載置手段のいずれを前記所定の画像出力ジョブにて用いるかを設定し、
前記画像形成手段は、前記第２設定手段により前記載置手段が前記所定の画像出力ジョブにて用いられると設定された場合は、前記載置手段から給送される記録材に画像を形成する画像出力ジョブを実行し、
前記制御手段は、前記第２設定手段により前記載置手段が前記所定の画像出力ジョブにて用いられると設定された場合において、前記所定の画像出力ジョブが中断された後に前記載置手段に記録材が新たに載置された場合に、前記画像形成装置の操作者に対して前記第１の設定手段を用いた前記記録材のサイズの再設定を要求することなく前記所定の画像出力ジョブを再開させるよう制御することを特徴とする請求項４に記載の画像形成装置。
【請求項６】
前記制御手段は、前記所定の画像出力ジョブが開始された後に前記第１の設定手段により設定された記録材のサイズと前記第２の設定手段により設定された記録材のサイズとが一致しなくなったことに応じて前記所定の画像出力ジョブを中断させるよう制御することを特徴とする請求項４又は５に記載の画像形成装置。
【請求項７】
複数の種別の記録材を載置可能な手差しトレイと、画像データを入力する入力手段と、前記入力手段により入力された画像データに基づき前記手差しトレイから給送される記録材に画像を形成する画像出力ジョブを実行する画像形成手段とを有する画像形成装置の制御方法であって、
前記画像形成装置の操作者の指示に基づき前記手差しトレイに載置される記録材の種別を設定する第１の設定工程と、
前記画像形成手段により所定の画像出力ジョブが実行される場合に当該所定の画像出力ジョブにて用いるべき記録材の種別を設定する第２の設定工程と、
前記所定の画像出力ジョブが実行される前に前記第１の設定工程により設定された記録材の種別と前記第２の設定工程により設定された記録材の種別とが一致する場合に前記所定の画像出力ジョブを開始させ、所定の中断要因が発生したことに応じて前記所定の画像出力ジョブを中断させるよう制御する第１の制御工程と、
前記所定の画像出力ジョブが中断された後に前記手差しトレイに記録材が新たに載置された場合に、前記画像形成装置の操作者に対して前記所定の画像出力ジョブが実行される前に前記第１の設定工程により設定された前記記録材の種別の再設定を要求し、当該要求に応じて前記第１の設定工程により再設定された記録材の種別と前記第２の設定工程により設定された記録材の種別とが一致する場合に前記所定の画像出力ジョブを再開させるよう制御する第２の制御工程とを有することを特徴とする画像形成装置の制御方法。
【請求項８】
複数のサイズの記録材を載置可能な手差しトレイと、画像データを入力する入力手段と、前記入力手段により入力された画像データに基づき前記手差しトレイから給送される記録材に画像を形成する画像出力ジョブを実行する画像形成手段とを有する画像形成装置の制御方法であって、
前記画像形成装置の操作者の指示に基づき前記手差しトレイに載置される記録材のサイズを設定する第１の設定工程と、
前記画像形成手段により所定の画像出力ジョブが実行される場合に当該所定の画像出力ジョブにて用いるべき記録材のサイズを設定する第２の設定工程と、
前記所定の画像出力ジョブが実行される前に前記第１の設定工程により設定された記録材のサイズと前記第２の設定工程により設定された記録材のサイズとが一致する場合に前記所定の画像出力ジョブを開始させ、所定の中断要因が発生したことに応じて前記所定の画像出力ジョブを中断させるよう制御する第１の制御工程と、
前記所定の画像出力ジョブが中断された後に前記手差しトレイに記録材が新たに載置された場合に、前記画像形成装置の操作者に対して前記所定の画像出力ジョブが実行される前に前記第１の設定工程により設定された前記記録材のサイズの再設定を要求し、当該要求に応じて前記第１の設定工程により再設定された記録材のサイズと前記第２の設定工程により設定された記録材のサイズとが一致する場合に前記所定の画像出力ジョブを再開させるよう制御する第２の制御工程とを有することを特徴とする画像形成装置の制御方法。
【請求項９】
複数の種別の記録材を載置可能な手差しトレイと、画像データを入力する入力手段と、前記入力手段により入力された画像データに基づき前記手差しトレイから給送される記録材に画像を形成する画像出力ジョブを実行する画像形成手段とを有する画像形成装置に具備されたコンピュータに、
前記画像形成装置の操作者の指示に基づき前記手差しトレイに載置される記録材の種別を設定する第１の設定工程と、
前記画像形成手段により所定の画像出力ジョブが実行される場合に当該所定の画像出力ジョブにて用いるべき記録材の種別を設定する第２の設定工程と、
前記所定の画像出力ジョブが実行される前に前記第１の設定工程により設定された記録材の種別と前記第２の設定工程により設定された記録材の種別とが一致する場合に前記所定の画像出力ジョブを開始させ、所定の中断要因が発生したことに応じて前記所定の画像出力ジョブを中断させるよう制御する第１の制御工程と、
前記所定の画像出力ジョブが中断された後に前記手差しトレイに記録材が新たに載置された場合に、前記画像形成装置の操作者に対して前記所定の画像出力ジョブが実行される前に前記第１の設定工程により設定された前記記録材の種別の再設定を要求し、当該要求に応じて前記第１の設定工程により再設定された記録材の種別と前記第２の設定工程により設定された記録材の種別とが一致する場合に前記所定の画像出力ジョブを再開させるよう制御する第２の制御工程とを実行させるためのプログラムをコンピュータが読み取り可能に記憶した記憶媒体。
【請求項１０】
複数のサイズの記録材を載置可能な手差しトレイと、画像データを入力する入力手段と、前記入力手段により入力された画像データに基づき前記手差しトレイから給送される記録材に画像を形成する画像出力ジョブを実行する画像形成手段とを有する画像形成装置に具備されたコンピュータに、
前記画像形成装置の操作者の指示に基づき前記手差しトレイに載置される記録材のサイズを設定する第１の設定工程と、
前記画像形成手段により所定の画像出力ジョブが実行される場合に当該所定の画像出力ジョブにて用いるべき記録材のサイズを設定する第２の設定工程と、
前記所定の画像出力ジョブが実行される前に前記第１の設定工程により設定された記録材のサイズと前記第２の設定工程により設定された記録材のサイズとが一致する場合に前記所定の画像出力ジョブを開始させ、所定の中断要因が発生したことに応じて前記所定の画像出力ジョブを中断させるよう制御する第１の制御工程と、
前記所定の画像出力ジョブが中断された後に前記手差しトレイに記録材が新たに載置された場合に、前記画像形成装置の操作者に対して前記所定の画像出力ジョブが実行される前に前記第１の設定工程により設定された前記記録材のサイズの再設定を要求し、当該要求に応じて前記第１の設定工程により再設定された記録材のサイズと前記第２の設定工程により設定された記録材のサイズとが一致する場合に前記所定の画像出力ジョブを再開させるよう制御する第２の制御工程とを実行させるためのプログラムをコンピュータが読み取り可能に記憶した記憶媒体。
【発明の詳細な説明】
【０００１】
【発明の属する技術分野】
本発明は、異なる複数の種別の記録材を収納可能な収納手段と、画像データを入力する少なくとも１つの画像入力手段と、前記画像入力手段から入力された画像データを記憶する画像記憶手段と、前記画像記憶手段に記憶された画像データを前記収納手段から給送される記録材に画像形成する画像形成手段とを有する画像入出力装置並びに画像入出力装置の制御方法および記憶媒体に関するものである。
【０００２】
【従来の技術】
近年の複写機のデジタル化に伴い、複写機のスキャナ、プリンタを使用してファクシミリ送受信を行ったり、ＰＤＬ（Ｐａｇｅ  Ｄｅｓｃｒｉｐｔｉｏｎ  Ｌａｎｇｕａｇｅ）プリンタ機能等、複数の機能を合わせ持つ複合機（複合画像入出力装置）が実用化されてきている。
【０００３】
この様な複合機は、複写機機能、ファクシミリ機能、ＰＤＬプリント機能等の単機能だけでなく、例えばＰＤＬ展開画像をファクシミリ送信するといった複数の機能間でも動作可能となるように構成されている。
【０００４】
さらに、複合機をＬＡＮ経由で接続することにより、コンピュータ装置等でも複合機の機能を利用できるように構成されている。
【０００５】
また、このような複合機では画像データを蓄積する大容量のハードディスクを具備し、このハードディスクを境に、スキャナやＰＤＬの展開画像、ファクシミリ受信文書等をハードディスクヘ画像入力する画像入力ジョブと、ハードディスクヘ蓄積された画像データをプリントアウトしたり、ファクシミリ送信したり、ネットワークを介してコンピュータ装置へ画像転送したりする画像出力ジョブとに分割し、これら画像入力ジョブと画像出力ジョブの任意の組み合わせにより所望の機能を提供できるように構成されている。
【０００６】
また、この画像入力ジョブと画像出力ジョブを組み合わせた機能が、同時に複数動作可能となるように構成されている。例えば、１つのコピージョブの画像入力が完了して画像出力中に、別のコピージョブの画像入力を行ったり、さらにＰＤＬプリントジョブの画像入力を順次処理することができるように構成されている。
【０００７】
さらに、このような複合機は、プリンタ部に異なる種別の用紙が収納可能な複数の収納手段（カセットおよび手差しトレイ等）を有し、各々の収納手段に収納する用紙の種別を予め登録しておくことにより、プリンタ部を使用するコピージョブやＰＤＬプリントジョブでは、この複数の収納手段から選択できるように構成されている。これは、ＯＨＰシート等のように用紙種別に応じてプリンタ部にて定着温度を制御したり、また、例えば色紙等を収納した特定の収納手段を選択することができるように構成されているものである。
【０００８】
また、プリンタ部の複数の収納手段（カセットおよび手差しトレイ等）は、異なるサイズの用紙が収納可能であり、各々の収納手段に収納する用紙のサイズを検知あるいは予め登録しておくことにより、プリンタ部を使用するコピージョブやＰＤＬプリントジョブでは、各々のジョブの入力画像サイズや出力画像サイズに応じて、この複数の収納手段に収納されている用紙のサイズから最適な収納手段を自動的に選択したり、あるいは、任意の収納手段を選択できるように構成されている。
【０００９】
特に、手差しトレイに関しては、様々な用紙のサイズを給紙可能であるが、用紙搬送方向を給紙前に検知することができないため、用紙載置時にサイズを設定したり、あるいは予め積載する用紙サイズを登録しておくように構成されている。
【００１０】
【発明が解決しようとする課題】
しかしながら、上記従来例ではプリンタ部の給紙カセットや手差しトレイに収納されている用紙種別や用紙サイズは、実行するジョブに関わらずプリンタ部として固定されており、ジョブ実行中は上記設定あるいは登録された用紙種別は変更できないように構成されていた。
【００１１】
このため、例えばあるジョブ（ジョブ１）がマルチ手差しにＯＨＰシートを設定および載置してジョブを実行している間には、マルチ手差しから色紙を給紙する別のジョブ（ジョブ２）の設定は、現在実行中の前のジョブ（ジョブ１）が完了するまで設定できず、ジョブ１の画像入力が完了していても、ジョブ１の画像出力が完了するまでジョブ２の設定および動作ができないという問題点があった。
【００１２】
また、例えばあるジョブ（ジョブ１）がマルチ手差しにＡ４サイズを設定および載置してジョブを実行している間には、マルチ手差しからＢ４サイズの用紙を給紙する別のジョブ（ジョブ２）の設定は、現在実行中の前のジョブ（ジョブ１）が完了するまで設定できず、ジョブ１の画像入力が完了していても、ジョブ１の画像出力が完了するまでジョブ２の設定および動作ができないという問題点があった。
【００１３】
さらに、上記従来例では、ジョブ実行中にプリンタ部の収納手段の用紙無しが発生した場合、プリンタ部はプリント動作を一時中断し、用紙を補給することにより自動再開するように構成されている。ここでは、ジョブ実行中は用紙種別や用紙サイズは変更できないように構成されているが、ジョブ１を発行したユーザや、ジョブ２を実行しようとするユーザが誤って別の種別や別のサイズの用紙を補給してしまった場合でも自動再開してしまうため、プリンタ部にて定着不良や所望しないプリント出力をしてしまったり、用紙ジャムが発生してしまう等の問題点があった。
【００１４】
本発明は、上記の問題点を解決するためになされたもので、本発明の目的は、マルチ手差しおよび給紙カセットに載置される記録材の種別やサイズを設定し、種別情報，サイズ情報（デバイス情報）として記憶しておき、ジョブ毎に要求された記録材の種別情報，サイズ情報（ジョブ情報）と記憶された記録材の種別情報，サイズ情報（デバイス情報）とをページ毎に比較し、双方の種別情報が一致しない場合はそのページの画像形成を行うことなくジョブを中断することにより、同時に複数の異なるジョブがマルチ手差しおよび給紙カセットを各々異なる用紙サイズあるいは用紙種別にて出力設定および動作することができるとともに、マルチ手差しおよび給紙カセットを使用中のコピーセッションで、用紙なしが発生した場合に、誤って別のサイズあるいは用紙種別情報の用紙を載置することによる定着不良や不要なプリント出力が発生しないような対話的な操作性を提供することができる画像形成装置並びに画像形成装置の制御方法および記憶媒体を提供することである。
【００１５】
【課題を解決するための手段】
本発明は、画像形成装置であって、複数の種別の記録材を載置可能な手差しトレイと、画像データを入力する入力手段と、前記入力手段により入力された画像データに基づき前記手差しトレイから給送される記録材に画像を形成する画像出力ジョブを実行する画像形成手段と、前記画像形成装置の操作者の指示に基づき前記手差しトレイに載置される記録材の種別を設定する第１の設定手段と、前記画像形成手段により所定の画像出力ジョブが実行される場合に当該所定の画像出力ジョブにて用いるべき記録材の種別を設定する第２の設定手段と、前記所定の画像出力ジョブが実行される前に前記第１の設定手段により設定された記録材の種別と前記第２の設定手段により設定された記録材の種別とが一致する場合に前記所定の画像出力ジョブを開始させ、所定の中断要因が発生したことに応じて前記所定の画像出力ジョブを中断させるよう制御する制御手段とを有し、前記制御手段は、前記所定の画像出力ジョブが中断された後に前記手差しトレイに記録材が新たに載置された場合に、前記画像形成装置の操作者に対して前記所定の画像出力ジョブが実行される前に前記第１の設定手段により設定された前記記録材の種別の再設定を要求し、当該要求に応じて前記第１の設定手段により再設定された記録材の種別と前記第２の設定手段により設定された記録材の種別とが一致する場合に前記所定の画像出力ジョブを再開させるよう制御することを特徴とする。
【００１６】
また、本発明は、画像形成装置であって、複数のサイズの記録材を載置可能な手差しトレイと、画像データを入力する入力手段と、前記入力手段により入力された画像データに基づき前記手差しトレイから給送される記録材に画像を形成する画像出力ジョブを実行する画像形成手段と、前記画像形成装置の操作者の指示に基づき前記手差しトレイに載置される記録材のサイズを設定する第１の設定手段と、前記画像形成手段により所定の画像出力ジョブが実行される場合に当該所定の画像出力ジョブにて用いるべき記録材のサイズを設定する第２の設定手段と、前記所定の画像出力ジョブが実行される前に前記第１の設定手段により設定された記録材のサイズと前記第２の設定手段により設定された記録材のサイズとが一致する場合に前記所定の画像出力ジョブを開始させ、所定の中断要因が発生したことに応じて前記所定の画像出力ジョブを中断させるよう制御する制御手段とを有し、前記制御手段は、前記所定の画像出力ジョブが中断された後に前記手差しトレイに記録材が新たに載置された場合に、前記画像形成装置の操作者に対して前記所定の画像出力ジョブが実行される前に前記第１の設定手段により設定された前記記録材のサイズの再設定を要求し、当該要求に応じて前記第１の設定手段により再設定された記録材のサイズと前記第２の設定手段により設定された記録材のサイズとが一致する場合に前記所定の画像出力ジョブを再開させるよう制御することを特徴とする。
【００２９】
【発明の実施の形態】
〔第１実施形態〕
図１は、本発明の第１実施形態を示す画像入出力装置の構成を示すブロック図である。
【００３０】
図において、１はリーダ部で、原稿の画像を読み取り、原稿画像に応じた画像データを画像入出力制御部３へ出力する。２はプリンタ部で、画像入出力制御部３からの画像データに応じた画像を記録紙上に記録する。画像入出力制御部３は、リーダ部１およびプリンタ部２に接続されており、ファクシミリ部４、ストレージ部５、コンピュータインタフェース部７、ＲＩＰ部８、操作部９、コア部１０等からなる。
【００３１】
ファクシミリ部４は、電話回線を介して受信した圧縮画像データを伸長して、伸長された画像データをコア部１０へ転送し、またコア部１０から転送された画像データを圧縮して、圧縮された圧縮画像データを電話回線を介して送信する。送受信する画像データは、ストレージ部５に接続されたハードディスク６中に一時的に保存することができる。
【００３２】
ストレージ部５にはハードディスク６が接続されており、ストレージ部５は、コア部１０から転送された画像データを圧縮し、その画像データを検索するためのＩＤ番号とともにハードディスク６に記憶させる。またストレージ部５は、コア部１０を介して転送されたコードデータに基づいてハードディスク６に記憶されている圧縮画像データを検索し、検索された圧縮画像データを読み出して伸長し、伸長された画像データをコア部１０へ転送する。
【００３３】
コンピュータインタフェース部７は、パーソナルコンピュータ又はワークステーション（ＰＣ／ＷＳ）１１とコア部１０の間のインタフェースであり、ＰＣ／ＷＳ１１と１対１のローカルインタフェースで接続しても、ネットワークで接続しても良い。
【００３４】
ＲＩＰ部８は、ＰＣ／ＷＳ１１から転送された画像を表すコードデータ（ＰＤＬ）をプリンタ部２で記録できる画像データに展開するものである。
【００３５】
操作部９は、タッチパネルディスプレイとハードキーを備え、ユーザインタフェースにより、本画像入出力装置への動作指示や動作設定等を行うものである。
【００３６】
コア部１０については後述するが、コア部１０はリーダ部１、プリンタ部２、ファクシミリ部４、ストレージ部５、コンピュータインタフェース部７、ＲＩＰ部８、操作部９のそれぞれの間のデータの流れを制御するものである。
【００３７】
図２は、図１に示したリーダ部１及びプリンタ部２の構成を示す断面図であり、図１と同一のものには同一の符号を付してある。
【００３８】
リーダ部１において、１０１は原稿給送装置で、原稿を先頭順に１枚ずつプラテンガラス１０２上へ給送し、原稿の読み取り動作終了後、プラテンガラス１０２上の原稿を排出するものである。原稿がプラテンガラス１０２上に搬送されると、ランプ１０３を点灯し、そしてスキャナユニット１０４の移動を開始させて、原稿を露光走査する。この時の原稿からの反射光は、ミラー１０５，１０６，１０７及びレンズ１０８によってＣＣＤイメージセンサ（以下、ＣＣＤ）１０９ヘ導かれる。
【００３９】
このように、走査された原稿の画像はＣＣＤ１０９によって読み取られる。ＣＣＤ１０９から出力される画像データは、所定の処理が施された後、画像入出力制御部３のコア部１０へ転送される。
【００４０】
プリンタ部２のレーザドライバ２２１はレーザ発光部２０１を駆動するものであり、画像入出力制御部３のコア部１０から出力された画像データに応じたレーザ光をレーザ発光部２０１に発光させる。このレーザ光は感光ドラム２０２に照射され、感光ドラム２０２にはレーザ光に応じた潜像が形成される。
【００４１】
この感光ドラム２０２の潜像の部分には現像器２０３によって現像剤が付着される。そして、レーザ光の照射開始と同期したタイミングで、給紙カセット２０４、給紙カセット２０５、手差しトレイ２１１のいずれかから記録紙を給紙して転写部２０６へ搬送し、感光ドラム２０２に付着された現像剤を記録紙に転写する。
【００４２】
現像剤の乗った記録紙は定着部２０７に搬送され、定着部２０７の熱と圧力により現像剤は記録紙に定着される。定着部２０７を通過した記録紙は排出ローラ２０８によって排出され、フィニッシャ２２０は記録紙をステイプルしたり、パンチ穴を開けて、それぞれの排紙トレイに排出する。
【００４３】
また、両面記録が設定されている場合は、排出ローラ２０８のところまで記録紙を搬送した後、排出ローラ２０８の回転方向を逆転させ、フラッパ２０９によって再給紙搬送路２１０へ導く。再給紙搬送路２１０ヘ導かれた記録紙は上述したタイミングで転写部２０６へ給紙される。
【００４４】
図３は、図１に示したコア部１０の構成を示すブロック図であり、図１と同一のものには同一の符号を付してある。
【００４５】
図に示すように、リーダ部１からの画像データはインタフェース（Ｉ／Ｆ）１２２を介して、データ処理部１２１へ転送される。データ処理部１２１は画像の回転処理や変倍処理などの画像処理や画像データの圧縮、伸長を行うものであり、内部に画像データ２ページ分のページメモリを有する。リーダ部１からデータ処理部１２１へ転送された画像データは、ページメモリに一時的に記憶された後、圧縮されてインタフェース（Ｉ／Ｆ）１２０を介してストレージ部５へ転送される。
【００４６】
また、コンピュータインタフェース部７を介して入力された画像を表すコードデータ（ＰＤＬ）は、インタフェース１２０を介してデータ処理部１２１に転送された後ＲＩＰ部８へ転送されて画像データに展開され、この画像データはデータ処理部１２１に転送された後、ページメモリに一時的に記憶された後、圧縮されてストレージ部５へ転送される。
【００４７】
ファクシミリ部４からの画像データは、データ処理部１２１へ転送された後、ページメモリに一時的に記憶された後、圧縮されてストレージ部５へ転送される。また、ストレージ部５からの画像データは、データ処理部１２１へ転送された後、伸長されてページメモリに一時的に記憶された後、プリンタ部２やファクシミリ部４、コンピュータインタフェース部７へ転送される。
【００４８】
なお、前述したデータ処理部１２１へ各種画像データを入力し、ページメモリに一時的に記憶した後、ストレージ部５へ画像データを転送する前に、プリンタ部２やファクシミリ部４、コンピュータインタフェース部７へ転送することも内部のセレクタを切り替えて転送することができる。
【００４９】
ＣＰＵ１２３は、メモリ１２４に記憶されている制御プログラム、及び操作部９から転送された制御コマンドに従ってこのような制御を行う。また、メモリ１２４はＣＰＵ１２３の作業領域としても使われる。さらに、メモリ１２４は、操作部９等からの各種設定を不揮発に記憶することができる。
【００５０】
このように、コア部１０を中心に、データ処理部１２１およびストレージ部５を介して、原稿画像の読み取り、画像のプリント、画像の送受信、画像の保存、コンピュータからのデータの入出力などの機能を複合させた処理を行うことが可能である。
【００５１】
以下、図４を用いて、本発明の画像入出力装置におけるジョブ制御について説明する。
【００５２】
図４は、本発明の画像入出力装置におけるジョブ制御の単位を論理的に示したものであり、図１と同一のものには同一の符号を付してある。
【００５３】
図に示すように、ジョブ制御の単位は複数ページを含む画像データひとまとまりに対する入力および出力処理である。これにより制御されるジョブは画像入力ジョブと画像出力ジョブに大別される。画像入力ジョブは、リーダ部１で読み取った画像データを順次ストレージ部５へ記録する画像入力ジョブ４１１、ＲＩＰ部８で展開された画像データを順次ストレージ部５へ記録する画像入力ジョブ４１２、ファクシミリ部４で受信された画像データを順次ストレージ部５へ記録する画像入力ジョブ４１３、コンピュータインタフェース部７から入力された画像データを順次ストレージ部５へ記録する画像入力ジョブ４１４にさらに分類される。
【００５４】
また、画像出力ジョブは、ストレージ部５から読み出した画像データを順次プリンタ部２へ出力する画像出力ジョブ４０１、ストレージ部５から読み出した画像データを順次ファクシミリ部４へ出力する画像出力ジョブ４０３、ストレージ部５から読み出した画像データを順次コンピュータインタフェース部７へ出力する画像出力ジョブ４０４に分類される。
【００５５】
図５は、本発明の画像入出力装置における複数のジョブを組み合わせた単位（以下セッションと呼ぶ）の一例を示した図であり、図４と同一のものには同一の符号を付してある。
【００５６】
図において、５０１はＰＤＬプリントセッションで、画像入力ジョブ４１２と画像出力ジョブ４０１を組み合わせてセッションとして制御するものである。５０２はコピーセッションで、画像入力ジョブ４１１と画像出力ジョブ４０１を組み合わせてセッションとして制御するものである。５０３はファクシミリ送信セッションで、画像入力ジョブ４１１と画像出力ジョブ４０３を組み合わせてセッションとして制御するものである。
【００５７】
５０４はファクシミリ受信セッションで、画像入力ジョブ４１３と画像出力ジョブ４０１を組み合わせてセッションとして制御するものである。５０５はスキャンセッションであり、画像入力ジョブ４１１と画像出力ジョブ４０４を組み合わせてセッションとして制御するものである。
【００５８】
なお、セッションは１つ以上のジョブを含む制御単位であり、例えば画像入力ジョブ４１２を１セッションとして扱ったり、また、画像出力ジョブ４０１をセッションとして扱ったり、画像入力ジョブ４１２と画像出力ジョブ４０１と、画像出力ジョブ４０３を組み合わせて１セッションとして扱っても良い。
【００５９】
図６は、本発明の画像入出力装置において各種セッションを管理するセッション管理テーブルを示す模式図である。
【００６０】
図において、７００はセッション管理テーブルで、図５に示した各種セッションを管理するためのものであり、図３に示したＣＰＵ１２３により生成され、メモリ１２４に格納され、セッションが終了するまで保持される。
【００６１】
７０１はセッションＩＤフィールドで、本実施形態の画像入出力装置中でのユニークなセッションＩＤを生成して保持するものである。７０２はセッションタイプフィールドで、生成されたセッションのタイプ（ＰＤＬプリントセッション、コピーセッション、ＰＤＬ記録セッション、スキャンセッション、プリントセッション等）を特定するものであり、本実施形態ではＰＤＬプリントセッションであることを記録しておく。
【００６２】
７０３はセッション優先順位フィールドで、当該セッションの処理順序に関する優先順位を保持するものである。７０４はセッションステータスフィールドで、当該セッションの実行状態（実行可能状態、実行中状態、中断状態、終了状態、エラー状態等）を実行状態に応じて保持するものである。７０５はリンクジョブ数フィールドで、当該セッションを構成する画像入力ジョブおよび画像出力ジョブの構成数を保持するものであり、本実施形態では画像入力ジョブ４１２と画像出力ジョブ４０１の２つのジョブ数が設定される。
【００６３】
７０６は第１のジョブポインタフィールドで、例えば画像入力ジョブ４１２のジョブ管理テーブル７１０へのポインタである。また、７０７は第２のジョブポインタフィールドで、例えば画像出力ジョブ４０１のジョブ管理テーブル７３０へのポインタである。
【００６４】
画像入力ジョブ４１２のジョブ管理テーブル７１０において、７１１はジョブＩＤフィールドで、本実施形態の画像入出力装置中でのユニークなジョブＩＤを生成して保持するものである。７１２はジョブタイプフィールドで、生成されたジョブのタイプ（前述した画像入力ジョブおよび画像出力ジョブ）を特定するものであり、本実施形態では、ＲＩＰ部８で展開された画像データを順次ストレージ部５へ記録する画像入力ジョブ４１２であることを記録しておく。
【００６５】
７１３はジョブ優先順位フィールドで、当該ジョブの処理順序に関する優先順位を保持するものである。７１４はジョブステータスフィールドで、当該ジョブの実行状態（実行可能状態、実行中状態、中断状態、終了状態、エラー状態等）を実行状態に応じて保持するものである。７１５はページ枚数フィールドで、当該ジョブのページ数を保持するものである。７１６はページポインタフィールドで、当該ジョブが管理する各ページの詳細情報を記述するページ管理テーブル７２０へのポインタである。７２０はページ管理フィールドで、ハードディスク６上に記録される。
【００６６】
７１７はジョブパラメータフィールドで、当該ジョブの各種設定パラメータを保持するものであり、本実施形態ではＰＣ／ＷＳ１１上でユーザが設定するプリント設定（印刷部数、片面／両面印刷、原稿サイズ、用紙サイズ、拡大縮小率、ページ出力順序、ソートモード、ステイプル止めの有無等および文書名称や記録日時等の文書管理情報等）が保持される。
【００６７】
ページ管理フィールド７２０において、７２１，７２２，……，７２ｐは、ページ１，ページ２，……，ページｐのフィールドで、それぞれ各種画像属性情報（解像度、画素数等）が記録される。
【００６８】
画像出力ジョブ４０１のジョブ管理テーブル７３０において、７３１はジョブＩＤフィールドで、本実施形態の画像入出力装置中でのユニークなジョブＩＤを生成して保持するものである。７３２はジョブタイプフィールドで、生成されたジョブのタイプ（前述した画像入力ジョブおよび画像出力ジョブ）を特定するものであり、本実施形態では、ストレージ部５に記録された画像データを順次プリンタ部２へプリントアウトする画像出力ジョブ４０１であることを記録しておく。
【００６９】
７３３はジョブ優先順位フィールドで、当該ジョブの処理順序に関する優先順位を保持するものである。７３４はジョブステータスフィールドで、当該ジョブの実行状態（実行可能状態、実行中状態、中断状態、終了状態、エラー状態等）を実行状態に応じて保持するものである。７３５はページ枚数フィールドで、当該ジョブのページ数を保持するものである。
【００７０】
ページポインタフィールド７３６は、当該ジョブが管理する各ページの詳細情報を記述するページ管理テーブル７４０へのポインタである。ページ管理テーブル７４０の実体は、画像入力ジョブ４１２でハードディスク６上に記録されたページ管理テーブル７２０と同一のものである。ジョブパラメータフィールド７３７は当該ジョブの各種設定パラメータを保持するものであり、本実施形態ではＰＣ／ＷＳ１１上でユーザが設定するプリント設定（印刷部数、片面／両面印刷、原稿サイズ、用紙サイズ、拡大縮小率、ページ出力順序、ソートモード、ステイプル止めの有無等および文書名称や記録日時等の文書管理情報）が保持される。
【００７１】
ページ管理フィールド７４０において、７４１，７４２，……，７４ｐは、ページ１，ページ２，……，ページｐのフィールドで、それぞれ各種画像属性情報（解像度、画素数等）が記録される。
【００７２】
以下、図７を参照して、本発明の画像入出力装置におけるセッション制御およびジョブ制御の一例について説明する。
【００７３】
図７は、本発明の画像入出力装置における第１の制御処理手順の一例を示すフローチャートであり、図３に示したコア部１０のＣＰＵ１２３がメモリ１２４に格納されたプログラムに基づいて実行する。なお、Ｓ６０１〜Ｓ６３０は各ステップを示す。また、セッション、画像入力ジョブ、および画像出力ジョブは各々マルチタスク動作するものである。
【００７４】
まず、本実施形態に係る画像入出力装置のセッション制御及びジョブ制御の第１の例として、図５に示したＰＤＬプリントセッション５０１と、それを構成するＲＩＰ部８で展開された画像データを順次ストレージ部５へ記録する画像入力ジョブ４１２およびストレージ部５に記録された画像データを順次プリンタ部２ヘプリントアウトする画像出力ジョブ４０１の制御手順について説明する。
【００７５】
まず、セッション制御タスクにおいて、ステップＳ６０１では、ＰＣ／ＷＳ１１上でユーザがプリント設定を行う。プリント設定内容は、部数、原稿サイズ、用紙サイズ、拡大縮小率、片面／両面、レイアウト、ページ出力順序、ソートモード、ステイプル止めの有無等である。ここでは、一例として、以下のプリント設定がなされているものとする。
印刷部数：  １０部    （Ｐ１）
片面印刷する          （Ｐ２）
原稿サイズ：Ａ４      （Ｐ３）
用紙サイズ：Ａ４      （Ｐ４）
拡大縮小率：１００％  （Ｐ５）
レイアウト：しない    （Ｐ６）
ページ出力順序：昇順  （Ｐ７）
ソートモード：する    （Ｐ８）
ステイプル止め：する  （Ｐ９）
プリント設定後、ユーザはＰＣ／ＷＳ１１上で印刷指示を与え、それと共にＰＣ／ＷＳ１１上にインストールされているドライバソフトウェアが印刷対象となる文書データをいわゆるＰＤＬデータに変換して、設定したプリント設定パラメータとともに、ＰＣ／ＷＳ１１に接続されたコンピュータインタフェース経由で、本画像入出力装置のコンピュータインタフェース部７にＰＤＬデータを転送する。コンピュータインタフェース部７を介して入力された画像を表すＰＤＬデータがデータ処理部１２１に転送された後、ＲＩＰ部８へ転送され、ＲＩＰ部８では、転送されたＰＤＬデータを順次画像データに展開（ラスタライズ）する。
【００７６】
ＲＩＰ部８でＰＤＬデータを受信開始すると、ＲＩＰ部８からコア部１０へ処理要求が発行される。コア部１０では発行された処理要求をＣＰＵ１２３が受付ける（Ｓ６０１）。ここで、ユーザが設定したプリント設定（Ｐ１）〜（Ｐ９）もＣＰＵ１２３へ転送される。
【００７７】
次に、ステップＳ６０２では、ＲＩＰ部８から発行された処理要求から内部的にセッションを生成し、管理する。このセッション生成では図６に示したセッション管理テーブル７００をメモリ１２４上に作成し、各種情報をセッションが終了するまで保持する。ここで、セッションタイプフィールド７０２は、ＰＤＬプリントセッションであることを記録しておく。また、リンクジョブ数フィールド７０５には、画像入力ジョブ４１３と画像出力ジョブ４０１の２つのジョブ数を設定する。
【００７８】
ステップＳ６０３では、画像入力ジョブ４１２のジョブ管理テーブル７１０をメモリ１２４上に作成し、各種情報をジョブが終了するまで保持する。ここで、ジョブタイプフィールド７１２にはＲＩＰ部８で展開された画像データを順次ストレージ部５へ記録する画像入力ジョブ４１２であることを記録しておく。また、第１のジョブポインタフィールド７０６に、画像入力ジョブ４１２のジョブ管理テーブル７１０へのポインタを格納する。また、ジョブパラメータフィールド７１７へは、ステップＳ６０１で設定したプリント設定（Ｐ１）〜（Ｐ９）の設定内容を格納する。
【００７９】
また、セッション制御タスクは、画像入力ジョブのジョブ管理テーブル７１０を作成後、画像入力ジョブ制御タスクを起動させる。
【００８０】
次に、ステップＳ６０４では、画像出カジョブ４０１のジョブ管理テーブル７３０をメモリ１２４上に作成し、各種情報をジョブが終了するまで保持する。ここで、ストレージ部５に記録された画像データを順次プリンタ部２ヘプリントアウトする画像出力ジョブ４０１であることを記録しておく。また、第２のジョブポインタフィールド７０７に、画像出力ジョブ４０１のジョブ管理テーブル７３０へのポインタを格納する。また、ジョブパラメータフィールド７３７へは、ステップＳ６０１で設定された、（Ｐ１）〜（Ｐ９）の設定内容を格納する。
【００８１】
また、セッション制御タスクは画像出力ジョブのジョブ管理テーブル７３０を作成後、画像出力ジョブ制御タスクを起動させる。
【００８２】
次に、ステップＳ６０５では、生成した画像入力ジョブ４１２の処理を開始する。即ち、セッション制御タスクから画像入力ジョブ制御タスクに対してジョブの開始を指示する。ステップＳ６０６では、生成した画像出力ジョブ４０１の処理を開始する。即ち、セッション制御タスクから画像出力ジジョブの開始を指示する。
【００８３】
ステップＳ６０７では、画像入力ジョブ管理タスクから、ジョブの終了通知を受信して、画像入力ジョブの終了処理を行なう。即ち、画像入力ジョブのジョブ管理テーブルのジョブステータスを終了状態にする。
【００８４】
ステップＳ６０８では、画像出力ジョブ管理タスクから、ジョブの終了通知を受信して、画像出力ジョブの終了処理を行なう。即ち、画像出力ジョブのジョブ管理テーブルのジョブステータスを終了状態にする。
【００８５】
ステップＳ６０９では、セッションの終了処理を行なう。即ち、画像入力ジョブおよび画像出力ジョブのジョブ管理テーブルと、ページ管理テーブルのページ毎の画像データを破棄して資源を開放するとともに、セッション管理テーブルも破棄し、資源を開放して一連の処理を終了する。
【００８６】
次に、画像入力ジョブ制御タスクにおいて、ステップＳ６１１では、画像入力ジョブ制御タスクが、セッション制御タスクからこのジョブの開始指示を受けて、ジョブを開始する。
【００８７】
ステップＳ６１２では、ＲＩＰ部８で展開された画像データ１ページの受信を行なう。即ち、ＲＩＰ部８からインタフェース１２０を介してデータ処理部１２１への画像転送を行なう。
【００８８】
ステップＳ６１３では、データ処理部１２１に転送された画像データをデータ処理部１２１内部の図示しないページメモリに一時的に記憶する（一次記憶）。
【００８９】
ステップＳ６１４では、画像出力ジョブ管理タスクに対してページ出力要求を送信する。画像出力ジョブ管理タスクにて、当該ページのページメモリからの読み出しが終了したら、ステップＳ６１５に進む。
【００９０】
ステップＳ６１５では、ページメモリ中に一次記憶された画像データを、ストレージ部５のハードディスク６に記録する（二次記憶）。この時、ページ管理フィールド７２０中のページ１フィールド７２１に各種画像属性情報（解像度、画素数等）を記録する。
【００９１】
ステップＳ６１６では、ＲＩＰ部８にて展開された処理すべき全てのページが画像データとしてハードディスク６に記録されたかどうかが判断される。ここでの判断の結果、処理されていないページが残っている場合（ステップＳ６１２〜６１５で処理したページが最終ページでない場合）は、処理をステップＳ６１２に戻し、一方、全てのページが処理された場合（ステップＳ６１２〜６１５で処理したページが最終ページである場合）には、処理をステップＳ６１７に進める。
【００９２】
ステップＳ６１７では、セッション制御タスクに画像入力ジョブの終了通知を送信し、画像入力ジョブ制御タスクを終了する。
【００９３】
次に、画像出力ジョブ制御タスクにおいて、ステップＳ６２１では、画像出力ジョブ制御タスクが、セッション制御タスクからこのジョブの開始指示を受けて、ジョブを開始する。
【００９４】
ステップＳ６２２では、画像入力ジョブ制御タスクから、ページメモリに一時的に記憶（一次記憶）された画像データの出力要求を受信する。ステップＳ６２３では、ページメモリからの画像データの読み出しを開始する。ステップＳ６２４では、プリンタ部２の使用権を獲得後、読み出したページの画像データを、インタフェース１２２を介してプリンタ部２ヘ画像転送し、プリンタ部２で前述したように画像形成を行ないプリントアウトする。
【００９５】
ステップＳ６２５では、画像入力ジョブ制御タスクからのページ出力要求が最終ページかどうかが判断される。個々での判断の結果、処理されていないページが残っている場合（最終ページでない場合）は、処理をステップＳ６２２に戻し、一方、全てのページが処理された場合（最終ページである場合）には、処理をステップＳ６２６に進める。なお、ここまでの処理で、（Ｐ１）にて設定された印刷部数１０のうちの最初の１部の印刷が完了する。
【００９６】
ステップＳ６２６では、ステップＳ６１５でストレージ部５のハードディスク６に記録（ニ次記憶）されたページ毎の画像データを順次読み出して、インタフェース１２０を介してデータ処理部１２１に画像転送する。データ処理部１２１では、転送された１ページ分の画像データをページメモリ上に保持する。
【００９７】
ステップＳ６２７では、プリンタ部２の使用権を獲得後、データ処理部１２１に転送された画像データをインタフェース１２２を介してプリンタ部２へ画像転送し、プリンタ部２で画像形成を行ないプリントアウトする。
【００９８】
ステップＳ６２８では、ハードディスク６に記録されたページ毎の画像データが全てプリントアウトされたかどうかが判断される。ここでの判断の結果、処理されていないページが残っている場合（ステップＳ６２６，６２７でプリントアウトしたページが最終ページでない場合）は、処理をステップＳ６２６に戻し、一方、全てのページが処理された場合（ステップＳ６２６，６２７でプリントアウトしたページが最終ページである場合）には、プリンタ部２で１部の用紙のステイプル止めをして、処理をステップＳ６２９に進める。
【００９９】
ステップＳ６２９では、セッション制御タスクのステップＳ６０１にて設定されたプリント部数（Ｐ１）が全てプリントアウトされたかどうかが判断される。ここでの判断の結果、処理されていない部数が残っている場合は、処理をステップＳ６２６に戻し、一方、全ての部数が処理された場合には、処理をステップＳ６３０に進める。
【０１００】
ステップＳ６３０では、セッション制御タスクに画像出力ジョブの終了通知を送信し、画像出力ジョブ制御タスクを終了する。
【０１０１】
以上の例では、ＰＣ／ＷＳ１１上で設定したプリント設定に従って、ＰＣ／ＷＳ１１からＰＤＬデータとして画像情報を転送し、本画像入出力装置でＰＤＬデータを画像データに展開してプリント出力する形態について説明したが、リーダ部１で読み取った画像情報をプリント出力する場合についても同様に適用することが可能である。
【０１０２】
以下、図７を用いて、本実施形態に係る画像入出力装置のセッション制御及びジョブ制御の第２の例として、コピーセッション５０２と、それを構成するリーダ部１で読み取られた画像データを順次ストレージ部５へ記録する画像入力ジョブ４１１、およびストレージ部５に記録された画像データを順次プリンタ部２へプリントアウトする画像出力ジョブ４０１の制御手順を説明する。
【０１０３】
まず、セッション制御タスクにおいて、まず、ステップＳ６０１では、操作部９（詳細は後述する図８に示す）上でユーザがコピー設定を行う。ここでは、一例として、以下のコピー設定がなされているものとする。
コピー部数：１０部      （Ｃ１）
片面コピーする          （Ｃ２）
用紙サイズ：Ａ４        （Ｃ３）
拡大縮小率：１００％    （Ｃ４）
レイアウト：しない      （Ｃ５）
ソートモード：する      （Ｃ６）
ステイプル止め：する    （Ｃ７）
コピー設定後、原稿をリーダ部１に載置して、ユーザは後述する図８に示すスタートキー８０６を押下してコピー指示を与え、それと共に設定したコピー設定パラメータをコア部１０のＣＰＵ１２３に転送し、処理要求を発行する。
【０１０４】
ステップＳ６０２では、操作部９から発行された処理要求から内部的にセッションを生成し、前述した図６のセッション管理テーブル７００で管理し、各種情報をセッションが終了するまで保持する。ここで、セッションタイプフィールド７０２は、コピーセッションであることを記録しておく。また、リンクジョブ数フィールド７０５には、画像入力ジョブ４１１と画像出力ジョブ４０１の２つのジョブ数を設定する。
【０１０５】
ステップＳ６０３では、画像入力ジョブ４１１のジョブ管理テーブル７１０をメモリ１２４上に作成し、各種情報をジョブが終了するまで保持する。ここで、ジョブタイプフィールド７１２にはリーダ部１で読み取られた画像データを順次ストレージ部５へ記録する画像入力ジョブ４１１であることを記録しておく。また、第１のジョブポインタフィールド７０６に、画像出力ジョブ４０１のジョブ管理テーブル７３０へのポインタを格納する。また、ジョブパラメータフィールド７３７には、ステップＳ６０１で設定された、コピー設定（Ｃ１）〜（Ｃ７）の設定内容を格納する。
【０１０６】
また、セッション制御タスクは、画像入力ジョブのジョブ管理テープル７１０を作成後、画像入力ジョブ制御タスクを起動させる。
【０１０７】
ステップＳ６０４では、画像出力ジョブ４０１のジョブ管理テーブル７３０をメモリ１２４上に作成し、各種情報をジョブが終了するまで保持する。ここで、ジョブタイプフィールド７３２にはストレージ部５に記録された画像データを順次プリンタ部２ヘプリントアウトする画像出力ジョブ４０１であることを記録しておく。また、第２のジョブポインタフィールド７０７に、画像出力ジョブ４０１のジョブ管理テーブル７３０へのポインタを格納する。また、ジョブパラメータフィールド７３７には、ステップＳ６０１で設定された、コピー設定（Ｃ１）〜（Ｃ７）の設定内容を格納する。
【０１０８】
また、セッション制御タスクは画像出力ジョブのジョブ管理テーブル７３０を作成後、画像出力ジョブ制御タスクを起動させる。
【０１０９】
次に、ステップＳ６０５では、生成した画像入力ジョブの処理を開始する。即ち、セッション制御タスクから画像入力ジョブ制御タスクに対してジョブの開始を指示する。
【０１１０】
ステップＳ６０６では、生成した画像出力ジョブ４０１の処理を開始する。即ち、セッション制御タスクから画像出力ジョブ制御タスクに対してジョブの開始を指示する。
【０１１１】
ステップＳ６０７では、画像入力ジョブ管理タスクから、ジョブの終了通知を受信して、画像入力ジョブの終了処理を行う。即ち、画像入力ジョブのジョブ管理テーブルのジョブステータスを終了状態にする。
【０１１２】
ステップＳ６０８では、画像出力ジョブ管理タスクから、ジョブの終了通知を受信して、画像出力ジョブの終了処理を行なう。即ち、画像出力ジョブのジョブ管理テーブルのジョブステータスを終了状態にする。
【０１１３】
ステップＳ６０９では、セッションの終了処理を行なう。即ち、画像入力ジョブおよび画像出力ジョブのジョブ管理テーブルと、ページ管理テーブルのページ毎の画像データを破棄して資源を開放するとともに、セッション管理テーブルも破葉し、資源を開放して一連の処理を終了する。
【０１１４】
次に、画像入力ジョブ制御タスクにおいて、ステップＳ６１１では、画像入力ジョブ制御タスクが、セッション制御タスクからこのジョブの開始指示を受けて、ジョブを開始する。
【０１１５】
ステップＳ６１２では、リーダ部１で読み取られた画像データページの受信を行なう。即ち、リーダ部１からインタフェース１２０介してデータ処理部１２１への画像転送を行なう。
【０１１６】
ステップＳ６１３では、データ処理部１２１に転送された画像データをデータ処理部１２１内の不図示のページメモリに一時的に記憶（一次記憶）する。
【０１１７】
ステップＳ６１４では、画像出力ジョブ管理タスクに対してページ出力要求を送信する。画像出力ジョブ管理タスクにて、当該ページのページメモリからの読み出しが終了したら、ステップＳ６１５に進む。
【０１１８】
ステップＳ６１５では、ページメモリ中に一時的に記憶（一次記憶）された画像データを、ストレージ部５のハードディスク６に記録（ニ次記憶）する。この時、ページ管理フィールド７２０中のページ１フィールド７２１に各種画像属性情報（解像度、画素数等）を記録する。
【０１１９】
ステップＳ６１６ではＲＩＰ部８にて展開された処理すべき全てのページが画像データとしてハードディスク６に記録されたかどうかが判断される。ここでの判断の結果、処理されていないページが残っている場合（ステップＳ６１２〜Ｓ６１５で処理されたページが最終ページでない場合）は、処理をステップＳ６１２に戻し、一方、全てのページが処理された場合（ステップＳ６１２〜Ｓ６１５で処理されたページが最終ページである場合）には、処理をステップＳ６１７に進める。
【０１２０】
ステップＳ６１７では、セッション制御タスクに画像入力ジョブの終了通知を送信し、画像入力ジョブ制御タスクを終了する。
【０１２１】
画像出力ジョブ制御タスク、即ちステップＳ６２１以降の処理は、前述したＰＤＬプリントセッション５０１の場合と全く同様なので省略する。
【０１２２】
なお、以上の例では、ＰＤＬプリントセッションとコピーセッションに関する形態について説明したが、図５にセッションの拡張例を示したように、任意の画像入力ジョブと任意の画像出力ジョブを組み合わせて任意のセッションを構成しても本実施形態を同様に適用することが可能である。
【０１２３】
また、図６に示したセッション管理テーブル７００を複数持つことにより、複数のセッションを同時に処理することが可能である。例えば、コピーセッション５０２の画像入力ジョブ４１１が完了後、直ちに別のコピーセッション５０２の画像入力ジョブ４１１を開始したり、ＰＤＬプリントセッション５０１の画像入力ジョブ４１２が完了後に、直ちに別のＰＤＬプリントセッション５０１の画像入力ジョブ４１２を開始することができる。
【０１２４】
このようにして、蓄積された各々のセッション中の画像出力ジョブ４０１は、順次プリンタ部２に画像形成されて出力される。
【０１２５】
図８は、図１に示した操作部９の構成を示す平面図である。
【０１２６】
図において、８０１は電源キーで、本体ヘの通電を制御する。８０２は予熱キーで、予熱モードのＯＮ／ＯＦＦに使用する。８０３はコピー機能選択キーで、複数の機能の中からコピーモードを選択するときに使用する。８０４はファクシミリ機能選択キーで、複数の機能の中からファクシミリモードを選択するときに使用する。
【０１２７】
８０５はパーソナルボックス機能選択キーで、複数の機能の中からパーソナルボックスモードを選択するときに使用する。ボックス機能とは、ユーザ個人や部署毎に複写機内のメモリに記憶領域（パーソナルボックス）を持ち、そこにＰＤＬやスキャン画像等複数の文書を入れておき（記憶しておき）、好きなときに出力する機能であり、ハードディスク６中に設けられた複数のボックスに対してボックス名称を付加することができる。
【０１２８】
８０６はスタートキーで、コピーの開始を指示するときに用いるキーである。８０７はストップキーで、コピーを中断したり、中止したりするときに用いるキーである。
【０１２９】
８０８はリセットキーで、スタンバイ中は標準モードに復帰させるキーとして動作する。８０９は操作ガイドキーで、各機能を知りたいときに使用するキーである。８１０はユーザモード設定キーで、ユーザがシステムの基本設定を変更するときに使用する。８１１は割込みコピーキーで、コピー中に割り込みしてコピーしたいときに用いる。
【０１３０】
８１２は１０キー（テンキー）で、数値を入力するときに用いる。８１３はクリアキーで、数値をクリアするときに用いる。８１４はファクシミリワンタッチキー、各キーに対して記憶されたファクシミリ番号にワンタッチで送信することができる。また、ファクシミリワンタッチキー８１４は、１つのキーに対して２つのファクシミリ番号を登録することができ、ワンタッチキーの切り替え蓋８１５の開閉により切り替えることができる。
【０１３１】
８１６はタッチパネルで、液晶画面（ＬＣＤ）とタッチセンサの組合せからなり、モード毎に個別の設定画面が表示され、さらに描画されたキーに触れることで、各種の詳細な設定を行うことが可能である。また、タッチパネル８１６は、各々のジョブの動作状況表示なども行う。
【０１３２】
なお、上述したコピーセッションのステップＳ６０１で設定されたコピー設定内容（Ｃ１）〜（Ｃ７）（部数、用紙サイズ、拡大縮小率、片面／両面、ソート出力、ステイプル止めの有無等）は、１０キー８１２およびタッチパネル８１６上に表示される設定項目に従って入力されたものである。
【０１３３】
以下、図９〜図１７を参照して、本発明の画像入出力装置における給紙カセットおよび手差しトレイの制御について説明する。
【０１３４】
図９は、図８に示した操作部９のタッチパネル８１６上に表示されるコピー機能の基本画面の一例を示す模式図である。
【０１３５】
図において、９００はコピー機能の基本画面で、操作部９のコピー機能選択キー８０３を押下すると表示される。９０１は用紙選択キーで、このキーを押圧すると、後述する図１０に示す用紙選択画面１０００が表示される。
【０１３６】
図１０は、図８に示した操作部９のタッチパネル８１６上に表示される用紙選択画面の一例を示す模式図であり、図９の用紙選択キー９０１を押圧することにより表示される。
【０１３７】
図において、１０００は用紙選択画面であり、１００１は自動用紙選択キーで、自動用紙選択モードを設定する場合に押圧する。１００２，１００３は給紙カセット選択キーで、給紙カセット２０４，給紙カセット２０５をそれぞれ給紙元に選択するときに押圧する。１００４は手差しトレイ選択キーで、手差しトレイ２１１を給紙元に選択するときに押圧する。
【０１３８】
１００５はメッセージ表示部で、コピー機能の状態を示す。１００６はコピー倍率表示部で、設定されているコピー倍率を表示する。１００７は給紙段表示部で、選択された給紙カセット、あるいは手差しトレイ等の給紙元を表示する。１００８は閉じるキーで、用紙選択画面１０００を閉じて、図９に示したコピー機能の基本画面に戻るときに押圧する。
【０１３９】
なお、給紙カセット選択キー１００２および１００３には各々用紙種別として、「ファクシミリ用紙」および「赤紙」が設定されている。これら給紙カセットに対しての用紙種別は、図８に示したユーザモードキー８１０を押下することにより、給紙段毎に設定することができる。
【０１４０】
図１１は、図１０に示した操作部９のタッチパネル８１６上に表示される用紙選択画面１０００の模式図であり、図１０と同一のものには同一の符号を付してある。
【０１４１】
手差しトレイ２１１に用紙がない場合に手差しトレイ選択キー１００４を押下すると、図に示すように、メッセージ表示部１００５に「用紙がありません」と表示するとともに手差しトレイ選択キー１００４を反転表示し、給紙段表示部１００７に手差しトレイが選択されていることを表示する。
【０１４２】
ここで、手差しトレイ２１１に用紙を載置すると、図１３に示す用紙サイズ選択画面１３００が表示される。
【０１４３】
図１２，図１３は、図１０に示した操作部９のタッチパネル８１６上に表示される用紙サイズ選択画面１３００の一例を示す模式図である。
【０１４４】
図において、１３０１は用紙サイズ選択キーで、Ａ／Ｂサイズ又はインチサイズの用紙サイズを選択する。１３０２はＡ／Ｂサイズの切り替えキー、１３０３はインチサイズの切り替えキーで、図１２に示す画面でインチサイズの切り替えキー１３０３を押下すると、用紙サイズ選択キー１３０１が図１３に示す画面に切り替わり、図１３に示す画面でＡ／Ｂサイズの切り替えキー１３０２を押下すると、用紙サイズ選択キー１３０１が図１２に示す画面に切り替わる。１３０４はＯＨＰ指定キーで、給紙元の用紙種別がＯＨＰシートである場合に押圧する。なお、色紙指定キー、厚紙指定キー等各種の用紙種別指定キーを設けてもよい。
【０１４５】
以下、図１４を参照して、用紙選択画面１０００における用紙選択および選択された用紙種別情報を記憶する処理の一例について説明する。
【０１４６】
図１４は、本発明の画像入出力装置の第２の制御処理手順を示すフローチャートであり、用紙選択画面１０００における用紙選択および選択された用紙種別情報を記憶する処理の一例について説明する。なお、このフローチャートは、図３に示したＣＰＵ１２３がメモリ１２４に格納されたプログラムに基づいて実行するものである。また、Ｓ１１０１〜Ｓ１１０２およびＳ１１１１〜Ｓ１１１４は各ステップを示す。
【０１４７】
（Ａ）は用紙選択画面１０００に表示される給紙カセット２０４あるいは給紙カセット２０５に格納された用紙の用紙サイズ及び用紙種別情報を記憶する処理に対応するものであり、まず、ステップＳ１１０１では、給紙カセット２０４あるいは給紙カセット２０５の不図示のサイド規制板（スライドガイド）あるいは用紙サイズ選択ダイヤルの設定値から設定された用紙サイズ情報を検知する。
【０１４８】
ステップＳ１１０２では、ユーザモードキー８１０を押下することにより予めユーザモードにて設定されていた給紙カセット毎の用紙種別情報をデバイス情報として、コア部１０のメモリ１２４中に記憶する。記憶された用紙種別情報は、各々用紙選択画面１０００の給紙カセット選択キー１００２、１００３上に表示される。図１０では、各々「ファクシミリ用紙」および「赤紙」として記憶されていることを示す。
【０１４９】
（Ｂ）は用紙選択画面１０００に表示される手差しトレイ２１１から給紙される用紙の用紙サイズ及び用紙種別情報を記憶する処理に対応するものであり、まず、ステップＳ１１１１では、手差しトレイ２１１に用紙がない場合に手差しトレイ選択キー１００４を押下すると、図１１に示したように、メッセージ表示部１００５に「用紙がありません」と表示するとともに手差しトレイ選択キー１００４を反転表示し、給紙段表示部１００７に手差しトレイが選択されていることを表示する。
【０１５０】
手差しトレイ２１１に用紙を載置すると、図１２に示した用紙サイズ選択画面１３００を表示する。なお、以下、図１２に示した用紙サイズ選択画面１３００で、ＯＨＰ指定キー１３０４を押下して、手差しトレイ２１１にＡ４サイズのＯＨＰシートを載置した場合について説明する。
【０１５１】
ステップＳ１１１２では、手差しトレイ２１１に載置された用紙の幅と、選択された用紙サイズの幅が一致しているかどうかを調べる。手差しトレイ２１１には、不図示のスライドガイドが装着されており、載置した用紙の幅方向のサイズを検知することが可能である。ガイド幅が一致しないと判断された場合は、後述する図１５に示す画面（メッセージ画面１５０１）を表示してスライドガイド幅の再調整とサイズ指定をやりなおし、ステップＳ１１１１に戻る。
【０１５２】
ステップＳ１１１２において、ガイド幅が一致すると判断された場合は、ステップＳ１１１３に進み、ＯＨＰ指定キー１３０４を押下して用紙種別を設定する。
【０１５３】
ステップＳ１１１４では、ステップＳ１１１３で設定された用紙種別情報をデバイス情報として、コア部１０のメモリ１２４中に記憶する。記憶された用紙種別情報は、後述する図１６に示すように用紙選択画面１０００の手差しトレイ選択キー１００４上に表示される。図１６に示す例では、手差しトレイ２１１から給紙される用紙がＯＨＰシートとして記憶されていることを示す。
【０１５４】
設定が完了し、閉じるキー１００８を押下すると、コピー機能の基本画面９００に戻り、給紙段表示部１００７に手差しトレイが選択され、Ａ４サイズのＯＨＰシートが用紙種別情報として記憶されていることを表示する（後述する図１７に示す）。
【０１５５】
なお、記録材の種別の設定は、給紙カセット２０４，２０５，手差しトレイ２１１にそれぞれ光センサを設け、記録材からの反射光量により各記録材の種別（普通紙，ＯＨＰシート，色紙等）を自動検知するようにしてもよい。
【０１５６】
図１５は、図１０に示した操作部９のタッチパネル８１６上に表示されるメッセージ画面の一例を示す模式図である。
【０１５７】
図において、１５０１はメッセージ画面で、手差しトレイ２１１に載置された用紙の幅と図１２，図１３に示した用紙サイズ選択画面１３００で選択された用紙サイズの幅が一致していない場合に表示される。１５０２はＯＫキーで、このキーを押圧するとメッセージ画面１５０１は終了する。
【０１５８】
図１６は、図１０に示した操作部９のタッチパネル８１６上に表示される用紙選択画面１０００の模式図であり、用紙種別情報設定後に対応し、図１０と同一のものには同一の符号を付してある。
【０１５９】
図において、１６０１は用紙種別情報変更キーで、表示された用紙サイズおよび用紙種別情報を変更する場合に押下する。
【０１６０】
図１７は、図８に示した操作部９のタッチパネル８１６上に表示されるコピー機能の基本画面の一例を示す模式図であり、用紙種別情報設定後に対応し、図９と同一のものには同一の符号を付してある。
【０１６１】
図に示すように、給紙段表示部１００７に、選択された給紙元及び用紙種別が表示される。
【０１６２】
図１８は、本発明の第１実施形態を示す画像入出力装置の用紙サイズ設定テーブル（用紙種別情報）の一例を示す図であり、図３に示したコア部１０のメモリ１２４にデバイス情報として記憶される。
【０１６３】
図において、２０００は用紙情報ブロックであり、給紙段フィールド２００１、用紙サイズ情報フィールド２００２、用紙種別情報フィールド２００３により構成される。
【０１６４】
２００４は給紙カセット２０４に対応する用紙種別情報フィールドであり、２００５は給紙カセット２０５に対応する用紙種別情報フィールドであり、２００６は手差しトレイ２１１に対応する用紙種別情報フィールドである。
【０１６５】
以上、基本的な用紙種別設定方法について説明したが、以下、図１９，図２０のフローチャートを参照して、図５に示したコピーセッション５０２の投入方法の一例について説明する。
【０１６６】
図１９，図２０は、本発明の画像入出力装置の第３の制御処理手順を示すフローチャートであり、図５に示したコピーセッション５０２の投入方法、および投入されたコピーセッション５０２の画像出力ジョブ４０１の処理方法の一例について説明する。なお、このフローチャートは、図３に示したＣＰＵ１２３がメモリ１２４に格納されたプログラムに基づいて実行するものである。また、Ｓ１８０１〜Ｓ１８１９はコピーセッション５０２の投入方法の各ステップを示し、Ｓ１９０１〜Ｓ１９１３は投入されたコピーセッション５０２の画像出力ジョブ４０１の処理方法の各ステップを示す。
【０１６７】
まず、図１９のステップＳ１８０１〜Ｓ１８１９により、コピーセッション５０２の投入方法について説明する。
【０１６８】
まず、ステップＳ１８０１では、図９に示した用紙選択キー９０１を押下することにより、給紙段の選択を行う。
【０１６９】
ステップＳ１８０２では、ステップＳ１８０１にて選択された給紙段が自動用紙であるか否かを判断し、自動用紙選択キー１００１が選択されたと判断された場合は、ステップＳ１８１５へ進み、一方、自動用紙選択キー１００１以外が選択された場合は、ステップＳ１８０３へ進む。
【０１７０】
ステップＳ１８０３では、給紙段として手差しトレイ選択キー１００４が選択されたか否かを判断し、手差しトレイ選択キー１００４が選択されたと判断された場合は、ステップＳ１８０７へ進み、一方、手差しトレイ以外の給紙カセット選択キー１００２，１００３が選択されたと判断された場合は、ステップＳ１８０４へ進む。
【０１７１】
ステップＳ１８０４では、選択された給紙カセット２０４あるいは給紙カセット２０５に用紙があるか否かを判断する。用紙がないと判断された場合は、ステップＳ１８０４に戻り、用紙があると判断された場合は、ステップＳ１８０５に進み、図１４の（Ａ）のフローチャートで検知および記憶した給紙カセットに対応する用紙サイズ情報および用紙種別情報（デバイス情報）を取得する。
【０１７２】
ステップＳ１８０６では、ステップＳ１８０５で取得したデバイス情報としての用紙サイズ情報および用紙種別情報をジョブ情報として、操作部９の不図示のメモリ中に記憶する。
【０１７３】
次にステップＳ１８１８にて、図８に示したコピースタートキー８０６を押下するとともに、操作部９にて記憶された用紙サイズ情報および用紙種別情報とともに、コピーセッション５０２の開始要求をコア部１０に通知する。コア部１０では、前述したセッション制御に従い、画像出力ジョブ４０１のジョブパラメータフィールド７３７中に出力ジョブ情報として、選択された給紙段情報と対応する用紙サイズ情報および用紙種別情報が記憶される。その後、投入されたコピーセッション５０２の画像出力ジョブ４０１の処理（図２０のステップＳ１９０１）に進む。
【０１７４】
一方、ステップＳ１８０３にて選択された給紙段が手差しトレイ２１１であると判断された場合、ステップＳ１８０７では、手差しトレイ２１１に用紙が載置されているか否かを判断する。用紙が載置されていないと判断された場合は、図１１に示したようにメッセージ表示部１００５に「用紙がありません」とメッセージ表示し、ステップＳ１８０７に戻る。一方、用紙が載置されていると判断された場合は、ステップＳ１８０８に処理を進める。
【０１７５】
ステップＳ１８０８では、手差しトレイ２１１のデバイス情報として用紙サイズおよび用紙種別情報が既に設定されているか否かを調べる。用紙サイズおよび用紙種別情報（デバイス情報）が既に設定されていると判断された場合は、ステップＳ１８０９へ進み、一方、用紙サイズおよび用紙種別情報（デバイス情報）がまだ設定されていないと判断された場合は、ステップＳ１８１３へ進む。
【０１７６】
ステップＳ１８０９では、既にデバイス情報としてコア部１０のメモリ１２４に設定されている手差しトレイ２１１の用紙サイズ情報および用紙種別情報を図１６で示したように手差しトレイ選択キー１００４上に表示する。
【０１７７】
ステップＳ１８１０では、手差しトレイ２１１の用紙サイズおよび用紙種別情報の確認を行う。上記ステップＳ１８０９にて表示された用紙サイズおよび用紙種別情報でよい場合、閉じるキー１００８を押下すると、手差しトレイ２１１の用紙サイズおよび用紙種別情報がＯＫであると判断され、ステップＳ１８１９にて、該用紙サイズ情報および用紙種別情報をジョブ情報として、操作部９の不図示のメモリ中に記憶してステップＳ１８１８へ進む。
【０１７８】
一方、上記ステップＳ１８１０にて表示された用紙サイズおよび用紙種別情報を変更する場合は図１６の用紙サイズおよび用紙種別情報変更キー１６０１を押下すると、手差しトレイ２１１の用紙サイズおよび用紙種別情報がＯＫでないと判断され、ステップＳ１８１１へ処理を進める。
【０１７９】
ステップＳ１８１１では、図１３および図１４に示した用紙サイズ選択画面１３００を表示して、コピーセッション５０２のジョブ情報としての手差しトレイ用紙サイズおよび用紙種別情報を選択（設定）する。
【０１８０】
ステップＳ１８１２では、ステップＳ１８１１で選択（設定）されたジョブ情報としての手差しトレイ用紙サイズおよび用紙種別情報を操作部９の不図示のメモリ中に記憶してステップＳ１８１８へ進む。
【０１８１】
一方、ステップＳ１８０８で用紙サイズおよび用紙種別情報（デバイス情報）がまだ設定されていないと判断された場合は、ステップＳ１８１３では、図１４で説明した（Ｂ）のフローチャートを実行することにより、デバイス情報としての手差しトレイ２１１の用紙サイズ情報および用紙種別情報を記憶し、ステップＳ１８１４では、ステップＳ１８１３にて記憶されたデバイス情報としての手差しトレイ２１１の用紙サイズ情報および用紙種別情報をジョブ情報として操作部９の不図示のメモリ中に記憶してステップＳ１８１８へ進む。
【０１８２】
また、ステップＳ１８０２で自動用紙９０１を選択したと判断された場合は、用紙サイズおよび用紙種別情報をこの時点では確定せず、ステップＳ１８１５にてコピースタートキー８０６を押下してコピースター卜する。
【０１８３】
ステップＳ１８１６では、リーダ部１で検知された原稿サイズに応じて最適サイズの給紙段候補が自動的にコア部１０にて判断され、予めユーザモードキー８１０を押下して指定されていた用紙種別に合致する給紙段を選択し、ステップＳ１８１７ではステップＳ１８１６にて選択された最適サイズの用紙サイズと用紙種別がジョブ情報としてコア部１０のメモリ１２４上のジョブパラメータフィールド７３７に記憶される。その後、投入されたコピーセッション５０２の画像出力ジョブ４０１の処理（図２０のステップＳ１９０１）に進む。
【０１８４】
次に、図２０のステップＳ１９０１〜Ｓ１９１３により、投入されたコピーセッション５０２の画像出力ジョブ４０１の処理方法について説明する。
【０１８５】
まず、ステップＳ１９０１では、前述した図７の処理フローに従って画像出力ジョブ４０１を開始する。以下、ステップＳ６２４あるいはステップＳ６２７におけるページプリントの処理において実行されるフローを説明する。ステップＳ１９０２では、画像出力ジョブ４０１のジョブパラメータフィールド７３７に記憶された選択給紙段を参照し、選択された給紙段の用紙が存在するか否かを用紙サイズ情報ブロック２０００を参照して判断する。選択された給紙段の用紙がないと判断された場合は、ステップＳ１９０３にて、操作部９のタッチパネル８１６に「用紙がありません」というメッセージを表示し、ステップＳ１９０２に戻り、一方、用紙があると判断された場合は、ステップＳ１９０４へ進む。
【０１８６】
ステップＳ１９０４では、ジョブパラメータフィールド７３７に記憶された選択給紙段の用紙サイズ情報および用紙種別を参照し、選択された給紙段の用紙サイズ情報および用紙種別と、用紙サイズ情報ブロック２０００の対応する給紙段情報に記憶されている用紙サイズ情報および用紙種別を比較して、サイズ情報および用紙種別が一致しているか否かを判断する。用紙サイズ情報および用紙種別が一致していると判断された場合は、ステップＳ１９１２へ進み、一方、ジョブ投入後に給紙段の用紙サイズ情報および用紙種別が変化した場合等、用紙サイズ情報および用紙種別が一致しないと判断された場合は、ステップＳ１９０５へ進む。
【０１８７】
ステップＳ１９０５では、プリンタ部２への出力処理を中断する。ステップＳ１９０６では、用紙サイズ情報および用紙種別が一致しないことを示すメッセージを表示する。ここでは、説明のため、レターサイズの普通紙の場合を例にとり、図２１に示すように「ＬＴＲ用紙（普通紙）がありません。」と表示する。
【０１８８】
ステップＳ１９０７では、表示されたメッセージに従って用紙を交換する。ステップＳ１９０８では、用紙なしが発生して中断した給紙段が手差しトレイか否かを判断する。手差しトレイであると判断された場合は、ステップＳ１９０９にて、図１４で説明した（Ｂ）のフローチャートを実行することにより、手差しトレイ２１１のデバイス情報としての用紙サイズ情報および用紙種別情報を設定し、一方、手差しトレイでないと判断された場合は、ステップＳ１９１０にて、図１４で説明した（Ａ）のフローチャートを実行することにより、給紙カセットのデバイス情報としての用紙サイズ情報および用紙種別情報を設定する。
【０１８９】
ステップＳ１９１１では、ステップＳ１９０９あるいはステップＳ１９１０にて設定されたデバイス情報としての用紙サイズ情報および用紙種別情報と、ジョブ情報としての用紙サイズ情報および用紙種別情報が一致するか否かを判断する。一致しないと判断された場合は、再度ステップＳ１９０６に戻ってデバイス情報としての用紙サイズ情報および用紙種別情報の設定をやり直す。一方、一致したと判断された場合は、ステップＳ１９１２で、ステップＳ１９０５にて中断した出力を再開する。
【０１９０】
ステップＳ１９１３では、投入された出力ジョブ４０１の処理すべき全ページが完了したか否かを判断し、完了していないと判断された場合は、ステップＳ１９０２へ戻り、一方、完了したと判断された場合は、処理を終了する。
【０１９１】
以上説明したように、本実施形態によれば、同時に複数のコピーセッションがマルチ手差しおよび給紙カセットを各々異なる用紙サイズおよび用紙種別にて出力設定および動作することが可能である。
【０１９２】
また、マルチ手差しおよび給紙カセットを使用中のコピーセッションで、用紙なしが発生した場合に、誤って別のサイズあるいは用紙種別情報の用紙を載置することによる定着不良や不要なプリント出力が発生しないような対話的な操作性を提供することが可能である。
【０１９３】
以上、コピーセッションの例について説明したが、ＰＤＬプリントセッションの場合も画像入カジョブが異なるのみで、同様に実現することが可能であることは言うまでもない。また、本発明はこれに限定されるものではなく、種々の変形、変更が可能なことは言うまでもない。
【０１９４】
図２１は、図１０に示した操作部９のタッチパネル８１６上に表示される用紙選択画面１０００の模式図であり、図１０と同一のものには同一の符号を付してある。
【０１９５】
図に示すように、用紙サイズ情報，用紙種別が一致せず、メッセージ表示部１００５に「ＬＴＲ用紙（普通紙）がありません。」等のメッセージが表示された場合に対応する。
【０１９６】
以上説明したように、本発明によれば、同時に複数の異なるジョブがマルチ手差しおよび給紙カセットを各々異なる用紙サイズあるいは用紙種別にて出力設定および動作することが可能であるという効果を奏する。
【０１９７】
また、マルチ手差しおよび給紙カセットを使用中のコピーセッションで、用紙なしが発生した場合に、誤って別のサイズあるいは用紙種別情報の用紙を載置することによる定着不良や不要なプリント出力が発生しないような対話的な操作性を提供することが可能であるという効果を奏する。
【０１９８】
〔第２実施形態〕
上記第１実施形態では、収納される記録材の種別を設定し、種別情報（デバイス情報）として記憶しておき、ジョブ毎に要求された記録材の種別情報（ジョブ情報）と記憶された記録材の種別情報（デバイス情報）とをページ毎に比較し、双方の種別情報が一致しない場合はそのページの画像形成を行うことなくジョブを中断する構成について説明したが、収納される記録材のサイズを設定し、サイズ情報（デバイス情報）として記憶しておき、ジョブ毎に要求された記録材のサイズ情報（ジョブ情報）と記憶された記録材のサイズ情報（デバイス情報）とをページ毎に比較し、双方のサイズ情報が一致しない場合はそのページの画像形成を行うことなくジョブを中断するように構成してもよい。以下、その実施形態について説明する。
【０１９９】
以下、図２２〜図２６を参照して、本発明の第２実施形態を示す画像入出力装置における給紙カセットおよび手差しトレイの制御について説明する。
【０２００】
図２２は、図８に示した操作部９のタッチパネル８１６上に表示されるコピー機能の基本画面の一例を示す模式図であり、図９に示した用紙選択キー９０１を押圧することにより表示される。なお、図２２と同一のものには同一の符号を付してある。
【０２０１】
図２３は、図２２に示した操作部９のタッチパネル８１６上に表示される用紙選択画面１０００の模式図であり、図２２と同一のものには同一の符号を付してある。
【０２０２】
手差しトレイ２１１に用紙がない場合に手差しトレイ選択キー１００４を押下すると、図に示すように、メッセージ表示部１００５に「用紙がありません」と表示するとともに手差しトレイ選択キー１００４を反転表示し、給紙段表示部１００７に手差しトレイが選択されていることを表示する。
【０２０３】
ここで、手差しトレイ２１１に用紙を載置すると、図１３に示した用紙サイズ選択画面１３００が表示される。
【０２０４】
以下、図２４を参照して、本発明の第２実施形態において、用紙選択画面１０００における用紙選択および選択された用紙種別情報を記憶する処理の一例について説明する。
【０２０５】
図２４は、本発明の画像入出力装置の第４の制御処理手順を示すフローチャートであり、用紙選択画面１０００における用紙選択および選択された用紙種別情報を記憶する処理の一例について説明する。なお、このフローチャートは、図３に示したＣＰＵ１２３がメモリ１２４に格納されたプログラムに基づいて実行するものである。また、Ｓ２１０１〜Ｓ２１０２およびＳ２１１１〜Ｓ２１１３は各ステップを示す。
【０２０６】
（Ｄ）は用紙選択画面１０００に表示される給紙カセット２０４あるいは給紙カセット２０５に格納された用紙の用紙サイズ情報を記憶する処理に対応するものであり、まず、ステップＳ２１０１では、給紙カセット２０４あるいは給紙カセット２０５の不図示のサイド規制板あるいは用紙サイズ選択ダイヤルの設定値から設定された用紙サイズ情報を検知する。
【０２０７】
ステップＳ２１０２では、ステップＳ２１０１にて検知された用紙サイズ情報をデバイス情報として、コア部１０のメモリ１２４中に記憶する。記憶された用紙サイズ情報は、各々用紙選択画面１０００の給紙カセット選択キーｌ００２，ｌ００３上に表示される。図２２では、各々Ａ４サイズおよびＡ３サイズとして記憶されていることを示す。
【０２０８】
（Ｅ）は用紙選択画面１０００に表示される手差しトレイ２１１から給紙される用紙の用紙サイズ情報を記憶する処理に対応するものであり、まず、ステップＳ２１１１では、手差しトレイ２１１に用紙がない場合に手差しトレイ選択キー１００４を押下すると、図２３に示したように、メッセージ表示部１００５に「用紙がありません」と表示するとともに手差しトレイ選択キー１００４を反転表示し、給紙段表示部１００７に手差しトレイが選択されていることを表示する。
【０２０９】
手差しトレイ２１１に用紙を載置すると、図１３に示した用紙サイズ選択画面１３００を表示する。なお、以下、図１２に示した用紙サイズ選択画面１３００で、ＯＨＰ指定キー１３０４を押下して、手差しトレイ２１１にＡ４サイズの用紙を載置した場合について説明する。
【０２１０】
ステップＳ２１１２では、手差しトレイ２１１に載置された用紙の幅と、選択された用紙サイズの幅が一致しているかどうかを調べる。手差しトレイ２１１には、不図示のスライドガイドが装着されており、載置した用紙の幅方向のサイズを検知することが可能である。ガイド幅が一致しないと判断された場合は、後述する図１５に示した画面（メッセージ画面１５０１）を表示してスライドガイド幅の再調整とサイズ指定をやりなおし、ステップＳ２１１１に戻る。
【０２１１】
ステップＳ２１１２において、ガイド幅が一致すると判断された場合は、ステップＳ２１１３に進み、ステップＳ２１０１にて検知された用紙サイズ情報をデバイス情報として、コア部１０のメモリ１２４中に記憶する。記憶された用紙サイズ情報は、後述する図２５に示すように用紙選択画面１０００の手差しトレイ選択キー１００４上に表示される。図２５に示す例では、Ａ４サイズとして記憶されていることを示す。
【０２１２】
設定が完了し、閉じるキー１００８を押下すると、コピー機能の基本画面９００に戻り、給紙段表示部１００７に手差しトレイが選択され、Ａ４サイズの用紙がサイズ情報として記憶されていることを表示する。（後述する図２６に示す）。
【０２１３】
図２５は、図１０に示した操作部９のタッチパネル８１６上に表示される用紙選択画面１０００の模式図であり、用紙サイズ情報設定後に対応し、図１０と同一のものには同一の符号を付してある。
【０２１４】
図において、２６０１は用紙サイズ情報変更キーで、表示された用紙サイズ情報を変更する場合に押下する。
【０２１５】
図２６は、図８に示した操作部９のタッチパネル８１６上に表示されるコピー機能の基本画面の一例を示す模式図であり、用紙サイズ情報設定後に対応し、図９と同一のものには同一の符号を付してある。
【０２１６】
図に示すように、給紙段表示部１００７に、選択された給紙元及び用紙サイズが表示される。
【０２１７】
図２７は、本発明の第２実施形態を示す画像入出力装置の用紙サイズ設定テーブル（用紙種別情報）の一例を示す図であり、図３に示したコア部１０のメモリ１２４にデバイス情報として記憶される。
【０２１８】
図において、３０００は用紙情報ブロックであり、給紙段フィールド３００１、用紙サイズ情報フィールド３００２により構成される。
【０２１９】
３００３は給紙カセット２０４に対応する用紙種別情報フィールドであり、３００４は給紙カセット２０５に対応する用紙種別情報フィールドであり、３００５は手差しトレイ２１１に対応する用紙種別情報フィールドである。
【０２２０】
以上、基本的な用紙サイズ設定方法について説明したが、以下、図２８，図２９のフローチャートを参照して、図５に示したコピーセッション５０２の投入方法の一例について説明する。
【０２２１】
図２８，図２９は、本発明の画像入出力装置の第５の制御処理手順を示すフローチャートであり、図５に示したコピーセッション５０２の投入方法、および投入されたコピーセッション５０２の画像出力ジョブ４０１の処理方法の一例について説明する。なお、このフローチャートは、図３に示したＣＰＵ１２３がメモリ１２４に格納されたプログラムに基づいて実行するものである。また、Ｓ２８０１〜Ｓ２８１９はコピーセッション５０２の投入方法の各ステップを示し、Ｓ２９０１〜Ｓ２９１３は投入されたコピーセッション５０２の画像出力ジョブ４０１の処理方法の各ステップを示す。
【０２２２】
まず、図２８のステップＳ２８０１〜Ｓ２８１９により、コピーセッション５０２の投入方法について説明する。
【０２２３】
まず、ステップＳ２８０１では、図９に示した用紙選択キー９０１を押下することにより、給紙段の選択を行う。
【０２２４】
ステップＳ２８０２では、ステップＳ２８０１にて選択された給紙段が自動用紙であるか否かを判断し、自動用紙選択キー１００１が選択されたと判断された場合は、ステップＳ２８１５へ進み、一方、自動用紙選択キー１００１以外が選択された場合は、ステップＳ２８０３へ進む。
【０２２５】
ステップＳ２８０３では、給紙段として手差しトレイ選択キー１００４が選択されたか否かを判断し、手差しトレイ選択キー１００４が選択されたと判断された場合は、ステップＳ２８０７へ進み、一方、手差しトレイ以外の給紙カセット選択キー１００２，１００３が選択されたと判断された場合は、ステップＳ２８０４へ進む。
【０２２６】
ステップＳ２８０４では、選択された給紙カセット２０４あるいは給紙カセット２０５に用紙があるか否かを判断する。用紙がないと判断された場合は、ステップＳ２８０４に戻り、用紙があると判断された場合は、ステップＳ２８０５に進み、図２４の（Ｄ）のフローチャートで検知および記憶した給紙カセットに対応する用紙サイズ情報（デバイス情報）を取得する。
【０２２７】
ステップＳ２８０６では、ステップＳ２８０５で取得したデバイス情報としての用紙サイズ情報をジョブ情報として、操作部９の不図示のメモリ中に記憶する。
【０２２８】
次にステップＳ２８１８にて、図８に示したコピースタートキー８０６を押下するとともに、操作部９にて記憶された用紙サイズ情報とともに、コピーセッション５０２の開始要求をコア部１０に通知する。コア部１０では、前述したセッション制御に従い、画像出力ジョブ４０１のジョブパラメータフィールド７３７中に出力ジョブ情報として、選択された給紙段情報と対応する用紙サイズ情報が記憶される。その後、投入されたコピーセッション５０２の画像出力ジョブ４０１の処理（図２９のステップＳ２９０１）に進む。
【０２２９】
一方、ステップＳ２８０３にて選択された給紙段が手差しトレイ２１１であると判断された場合、ステップＳ２８０７では、手差しトレイ２１１に用紙が載置されているか否かを判断する。用紙が載置されていないと判断された場合は、図２３に示したようにメッセージ表示部１００５に「用紙がありません」とメッセージ表示し、ステップＳ２８０７に戻る。一方、用紙が載置されていると判断された場合は、ステップＳ２８０８に処理を進める。
【０２３０】
ステップＳ２８０８では、手差しトレイ２１１のデバイス情報として用紙サイズ（デバイス情報）が既に設定されているか否かを調べる。用紙サイズ情報（デバイス情報）が既に設定されていると判断された場合は、ステップＳ２８０９へ進み、一方、用紙サイズ情報（デバイス情報）がまだ設定されていないと判断された場合は、ステップＳ２８１３へ進む。
【０２３１】
ステップＳ２８０９では、既にデバイス情報としてコア部１０のメモリ１２４に設定されている手差しトレイ２１１の用紙サイズ情報を図２５で示したように手差しトレイ選択キー１００４上に表示する。
【０２３２】
ステップＳ２８１０では、手差しトレイ２１１の用紙サイズの確認を行う。上記ステップＳ２８０９にて表示された用紙サイズ情報でよい場合、閉じるキー１００８を押下すると、手差しトレイ２１１の用紙サイズ情報がＯＫであると判断され、ステップＳ２８１９にて、該用紙サイズ情報をジョブ情報として、操作部９の不図示のメモリ中に記憶してステップＳ２８１８へ進む。
【０２３３】
一方、上記ステップＳ２８１０にて表示された用紙サイズ情報を変更する場合は図２５の用紙サイズ情報変更キー２６０１を押下すると、手差しトレイ２１１の用紙サイズ情報がＯＫでないと判断され、ステップＳ２８１１へ処理を進める。
【０２３４】
ステップＳ２８１１では、図１２および図１３に示した用紙サイズ選択画面１３００を表示して、コピーセッション５０２のジョブ情報としての手差しトレイ用紙サイズ情報を選択（設定）する。
【０２３５】
ステップＳ２８１２では、ステップＳ２８１１で選択されたジョブ情報としての手差しトレイ用紙サイズ情報を操作部９の不図示のメモリ中に記憶してステップＳ２８１８へ進む。
【０２３６】
一方、ステップＳ２８０８で用紙サイズ情報（デバイス情報）がまだ設定されていないと判断された場合は、ステップＳ２８１３では、図２４で説明した（Ｅ）のフローチャートを実行することにより、デバイス情報としての手差しトレイ２１１の用紙サイズ情報を記憶し、ステップＳ２８１４では、ステップＳ２８１３にて記憶されたデバイス情報としての手差しトレイ２１１の用紙サイズ情報をジョブ情報として操作部９の不図示のメモリ中に記憶してステップＳ２８１８へ進む。
【０２３７】
また、ステップＳ２８０２で自動用紙９０１を選択したと判断された場合は、用紙サイズ情報をこの時点では確定せず、ステップＳ２８１５にてコピースタートキー８０６を押下してコピースター卜する。
【０２３８】
ステップＳ２８１６では、リーダ部１で検知された原稿サイズに応じて最適サイズの給紙段候補が自動的にコア部１０にて判断され、予めユーザモードキー８１０を押下して指定されていた用紙サイズに合致する給紙段を選択し、ステップＳ２８１７ではステップＳ２８１６にて選択された最適サイズの用紙サイズがジョブ情報としてコア部１０のメモリ１２４上のジョブパラメータフィールド７３７に記憶される。その後、投入されたコピーセッション５０２の画像出力ジョブ４０１の処理（図２９のステップＳ２９０１）に進む。
【０２３９】
次に、図２９のステップＳ２９０１〜Ｓ２９１３により、投入されたコピーセッション５０２の画像出力ジョブ４０１の処理方法について説明する。
【０２４０】
まず、ステップＳ２９０１では、前述した図７の処理フローに従って画像出力ジョブ４０１を開始する。以下、ステップＳ６２４あるいはステップＳ６２７におけるページプリントの処理において実行されるフローを説明する。ステップＳ２９０２では、画像出力ジョブ４０１のジョブパラメータフィールド７３７に記憶された選択給紙段を参照し、選択された給紙段の用紙が存在するか否かを用紙サイズ情報ブロック２０００を参照して判断する。選択された給紙段の用紙がないと判断された場合は、ステップＳ２９０３にて、操作部９のタッチパネル８１６に「用紙がありません」というメッセージを表示し、ステップＳ２９０２に戻り、一方、用紙があると判断された場合は、ステップＳ２９０４へ進む。
【０２４１】
ステップＳ２９０４では、ジョブパラメータフィールド７３７に記憶された選択給紙段の用紙サイズ情報を参照し、選択された給紙段の用紙サイズ情報と、用紙サイズ情報ブロック２０００の対応する給紙段情報に記憶されている用紙サイズ情報とを比較して、サイズ情報が一致しているか否かを判断する。用紙サイズ情報が一致していると判断された場合は、ステップＳ２９１２へ進み、一方、ジョブ投入後に給紙段の用紙サイズ情報が変化した場合等、用紙サイズ情報が一致しないと判断された場合は、ステップＳ２９０５へ進む。
【０２４２】
ステップＳ２９０５では、プリンタ部２への出力処理を中断する。ステップＳ２９０６では、用紙サイズ情報が一致しないことを示すメッセージを表示する。ここでは、説明のため、レターサイズの場合を例にとり、図３０に示すように「ＬＴＲ用紙がありません。」と表示する。
【０２４３】
ステップＳ２９０７では、表示されたメッセージに従って用紙を交換する。ステップＳ２９０８では、用紙なしが発生して中断した給紙段が手差しトレイか否かを判断する。手差しトレイであると判断された場合は、ステップＳ２９０９にて、図２４で説明した（Ｅ）のフローチャートを実行することにより、手差しトレイ２１１のデバイス情報としての用紙サイズ情報を設定し、一方、手差しトレイでないと判断された場合は、ステップＳ２９１０にて、図２４で説明した（Ｄ）のフローチャートを実行することにより、給紙カセットのデバイス情報としての用紙サイズ情報を設定する。
【０２４４】
ステップＳ２９１１では、ステップＳ２９０９あるいはステップＳ２９１０にて設定されたデバイス情報としての用紙サイズ情報と、ジョブ情報としての用紙サイズ情報が一致するか否かを判断する。一致しないと判断された場合は、再度ステップＳ２９０６に戻ってデバイス情報としての用紙サイズ情報の設定をやり直す。一方、一致したと判断された場合は、ステップＳ２９１２で、ステップＳ２９０５にて中断した出力を再開する。
【０２４５】
ステップＳ２９１３では、投入された出力ジョブ４０１の処理すべき全ページが完了したか否かを判断し、完了していないと判断された場合は、ステップＳ２９０２へ戻り、一方、完了したと判断された場合は、処理を終了する。
【０２４６】
図３０は、図２２に示した操作部９のタッチパネル８１６上に表示される用紙選択画面１０００の模式図であり、図２２と同一のものには同一の符号を付してある。
【０２４７】
図に示すように、用紙サイズ情報が一致せず、メッセージ表示部１００５に「ＬＴＲ用紙がありません。」等のメッセージが表示された場合に対応する。
【０２４８】
以上説明したように、本実施の形態によれば、同時に複数のコピーセッションがマルチ手差しおよび給紙カセットを各々異なる用紙サイズにて出力設定および動作することが可能である。
【０２４９】
また、マルチ手差しおよび給紙カセットを使用中のコピーセッションで、用紙なしが発生した場合に、誤って別のサイズの用紙を載置することによる用紙ジャムが発生しないような対話的な操作性を提供することが可能である。
【０２５０】
以上、コピーセッションの例について説明したが、ＰＤＬプリントセッションの場合も画像入カジョブが異なるのみで、同様に実現することが可能であることは言うまでもない。また、本発明はこれに限定されるものではなく、種々の変形、変更が可能なことは言うまでもない。
【０２５１】
以上説明したように、本発明によれば、同時に複数の異なるジョブがマルチ手差しおよび給紙カセットを各々異なる用紙サイズにて出力設定および動作することが可能であるという効果を奏する。
また、マルチ手差しおよび給紙カセットを使用中の異なるジョブで用紙なしが発生した場合に、誤って別のサイズの用紙を載置することによる用紙ジャムが発生しないような対話的な操作性を提供することが可能であるという効果を奏する。
【０２５２】
本発明の画像入出力装置は、電子写真方式でも、インクジェット方式、熱転写方式、昇華式でもその他の方式でもよい。
【０２５３】
以下、図３１に示すメモリマップを参照して本発明に係る画像入出力装置で読み出し可能なデータ処理プログラムの構成について説明する。
【０２５４】
図３１は、本発明に係る画像入出力装置で読み出し可能な各種データ処理プログラムを格納する記憶媒体のメモリマップを説明する図である。
【０２５５】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０２５６】
さらに、各種プログラムに従属するデータも上記ディレクトリに管理されている。また、インストールするプログラムやデータが圧縮されている場合に、解凍するプログラム等も記憶される場合もある。
【０２５７】
本実施形態における図７，図１４，図１９，図２０，図２４，図２８，図２９に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０２５８】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０２５９】
この場合、記憶媒体から読み出されたプログラムコード自体が本発明の新規な機能を実現することになり、そのプログラムコードを記憶した記憶媒体は本発明を構成することになる。
【０２６０】
プログラムコードを供給するための記憶媒体としては、例えば、フロッピーディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０２６１】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０２６２】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０２６３】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０２６４】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０２６５】
【発明の効果】
本発明によれば、手差しトレイから給送される記録材に画像を形成する所定の画像出力ジョブが中断された後に、画像形成装置の操作者に対して所定の画像出力ジョブが実行される前に設定された記録材の種別の再設定を要求することにより、所定の画像出力ジョブにて用いるべき記録材の種別と異なる記録材を用いて画像出力ジョブが再開されるのを防止することができる。
また、本発明によれば、手差しトレイから給送される記録材に画像を形成する所定の画像出力ジョブが中断された後に、画像形成装置の操作者に対して所定の画像出力ジョブが実行される前に設定された記録材のサイズの再設定を要求することにより、所定の画像出力ジョブにて用いるべき記録材のサイズと異なる記録材を用いて画像出力ジョブが再開されるのを防止することができる。
【図面の簡単な説明】
【図１】本発明の第１実施形態を示す画像入出力装置の構成を示すブロック図である。
【図２】図１に示したリーダ部及びプリンタ部の構成を示す断面図である。
【図３】図１に示したコア部の構成を示すブロック図である。
【図４】本発明の画像入出力装置におけるジョブ制御の単位を論理的に示した図である。
【図５】本発明の画像入出力装置における複数のジョブを組み合わせた単位（以下セッションと呼ぶ）の一例を示す図である。
【図６】本発明の画像入出力装置において各種セッションを管理するセッション管理テーブルを示す模式図である。
【図７】本発明の画像入出力装置における第１の制御処理手順の一例を示すフローチャートである。
【図８】図１に示した操作部の構成を示す平面図である。
【図９】図８に示した操作部のタッチパネル上に表示されるコピー機能の基本画面の一例を示す模式図である。
【図１０】図８に示した操作部のタッチパネル上に表示される用紙選択画面の一例を示す模式図である。
【図１１】図１０に示した操作部のタッチパネル上に表示される用紙選択画面の模式図である。
【図１２】図１０に示した操作部のタッチパネル上に表示される用紙サイズ選択画面の一例を示す模式図である。
【図１３】図１０に示した操作部のタッチパネル上に表示される用紙サイズ選択画面の一例を示す模式図である。
【図１４】本発明の画像入出力装置の第２の制御処理手順を示すフローチャートである。
【図１５】図１０に示した操作部のタッチパネル上に表示されるメッセージ画面の一例を示す模式図である。
【図１６】図１０に示した操作部のタッチパネル上に表示される用紙選択画面の模式図である。
【図１７】図８に示した操作部のタッチパネル上に表示されるコピー機能の基本画面の一例を示す模式図である。
【図１８】本発明の第１実施形態を示す画像入出力装置の用紙サイズ設定テーブル（用紙種別情報）の一例を示す図である。
【図１９】本発明の画像入出力装置の第３の制御処理手順を示すフローチャートである。
【図２０】本発明の画像入出力装置の第３の制御処理手順を示すフローチャートである。
【図２１】図１０に示した操作部のタッチパネル上に表示される用紙選択画面の模式図である。
【図２２】図８に示した操作部のタッチパネル上に表示されるコピー機能の基本画面の一例を示す模式図である。
【図２３】図２２に示した操作部のタッチパネル上に表示される用紙選択画面の模式図である。
【図２４】本発明の画像入出力装置の第４の制御処理手順を示すフローチャートである。
【図２５】図１０に示した操作部のタッチパネル上に表示される用紙選択画面の模式図である。
【図２６】図８に示した操作部のタッチパネル上に表示されるコピー機能の基本画面の一例を示す模式図である。
【図２７】本発明の第２実施形態を示す画像入出力装置の用紙サイズ設定テーブル（用紙種別情報）の一例を示す図である。
【図２８】本発明の画像入出力装置の第５の制御処理手順を示すフローチャートである。
【図２９】本発明の画像入出力装置の第５の制御処理手順を示すフローチャートである。
【図３０】図１０に示した操作部のタッチパネル上に表示される用紙選択画面の模式図である。
【図３１】本発明に係る画像入出力装置で読み出し可能な各種データ処理プログラムを格納する記憶媒体のメモリマップを説明する図である。
【符号の説明】
１  リーダ部
２  プリンタ部
３  画像入出力制御部
４  ファクシミリ部
５  ストレージ部
７  コンピュータインタフェース部
８  ＲＩＰ部
９  操作部
１０  コア部
１１  コンピュータ機器（ＰＣ／ＷＳ）
１２３  ＣＰＵ
１２４  メモリ
【図１】
0004323683.tif 000002
【図２】
0004323683.tif 000003
【図３】
0004323683.tif 000004
【図４】
0004323683.tif 000005
【図５】
0004323683.tif 000006
【図６】
0004323683.tif 000007
【図７】
0004323683.tif 000008
【図８】
0004323683.tif 000009
【図９】
0004323683.tif 000010
【図１０】
0004323683.tif 000011
【図１１】
0004323683.tif 000012
【図１２】
0004323683.tif 000013
【図１３】
0004323683.tif 000014
【図１４】
0004323683.tif 000015
【図１５】
0004323683.tif 000016
【図１６】
0004323683.tif 000017
【図１７】
0004323683.tif 000018
【図１８】
0004323683.tif 000019
【図１９】
0004323683.tif 000020
【図２０】
0004323683.tif 000021
【図２１】
0004323683.tif 000022
【図２２】
0004323683.tif 000023
【図２３】
0004323683.tif 000024
【図２４】
0004323683.tif 000025
【図２５】
0004323683.tif 000026
【図２６】
0004323683.tif 000027
【図２７】
0004323683.tif 000028
【図２８】
0004323683.tif 000029
【図２９】
0004323683.tif 000030
【図３０】
0004323683.tif 000031
【図３１】
0004323683.tif 000032